(57)【要約】端末装置と、前記端末装置と無線接続し、前記端末装置に信号を送信する基地局装置とを有する無線通信システムにおける基地局装置であって、前記端末装置が対応する信号フォーマットの第１バージョンを取得する取得部と、前記第１バージョンと、前記基地局装置が対応する第２バージョンが異なる場合、前記第２バージョンと用途が異なる信号に関する差異情報を前記端末装置に送信する送信部とを有する。
2018216163.tif 000002
【特許請求の範囲】
【請求項１】
端末装置と、前記端末装置と無線接続し、前記端末装置に信号を送信する基地局装置とを有する無線通信システムにおける基地局装置であって、
前記端末装置が対応する信号フォーマットの第１バージョンを取得する取得部と、
前記第１バージョンと、前記基地局装置が対応する第２バージョンとが異なる場合、前記第２バージョンと用途が異なる信号に関する差異情報を前記端末装置に送信する送信部とを有する
基地局装置。
【請求項２】
前記差異情報は、前記用途が異なる信号の破棄を前記端末装置に指示することを含む情報である
請求項１記載の基地局装置。
【請求項３】
前記信号は、サブフレームを含み、
前記差異情報は、前記第２バージョンの信号と用途が異なるサブフレームの番号を含む
請求項１記載の基地局装置。
【請求項４】
前記送信部は、前記差異情報を含めたＲＲＣ（Radio Resource Control）メッセージを前記端末装置に送信する
請求項３記載の基地局装置。
【請求項５】
前記差異情報は、前記端末装置が受信したサブフレームを破棄することを指示する破棄情報を含み、
前記送信部は、前記破棄情報を含むサブフレームを前記端末装置に送信する
請求項１記載の基地局装置。
【請求項６】
前記送信部は、前記破棄情報を信号フォーマットのバージョン毎に設定する
請求項５記載の基地局装置。
【請求項７】
前記信号は、サブフレームを含み、
前記差異情報は、前記第２バージョンの信号と用途が異なるサブフレームの番号、及びシンボル位置を含む
請求項１記載の基地局装置。
【請求項８】
前記信号は、サブフレームを含み、
前記差異情報は、前記第２バージョンの信号と用途が異なるサブフレームの番号、及び前記サブフレームの前半部又は後半部のどちらか一方を示す情報を含む
請求項１記載の基地局装置。
【請求項９】
端末装置と、前記端末装置と無線接続し、前記端末装置に信号を送信する基地局装置とを有する無線通信システムにおける端末装置であって、
前記基地局装置から送信される情報であって、前記端末装置が対応する信号フォーマットの第１バージョンと前記基地局装置が対応する信号フォーマットの第２バージョンとが異なる場合に前記基地局装置が送信する、前記第２バージョンと用途が異なる信号に関する差異情報を、受信する受信部と、
前記差異情報に基づき、前記用途が異なる信号を破棄する差異対応部を有する
端末装置。
【請求項１０】
端末装置と、前記端末装置と無線接続し、前記端末装置に信号を送信する基地局装置とを有する無線通信システムであって、
前記基地局装置は、前記端末装置が対応する信号フォーマットの第１バージョンを取得し、前記第１バージョンと、前記基地局装置が対応する第２バージョンとが異なる場合、前記第２バージョンと用途が異なる信号に関する差異情報を前記端末装置に送信し、
前記端末装置は、前記差異情報を受信し、前記受信した差異情報に基づき、前記用途が異なる信号を破棄する
無線通信システム。
【請求項１１】
端末装置と、前記端末装置と無線接続し、前記端末装置に信号を送信する基地局装置とを有する無線通信システムの有する基地局装置における無線リソース情報通知方法であって、
前記端末装置が対応する信号フォーマットの第１バージョンを取得し、
前記第１バージョンと、前記基地局装置が対応する第２バージョンとが異なる場合、前記第２バージョンと用途が異なる信号に関する差異情報を前記端末装置に送信する
無線リソース情報通知方法。
【発明の詳細な説明】
【技術分野】
【０００１】
本発明は、基地局装置、端末装置、無線通信システム、及び無線リソース情報通知方法に関する。
【背景技術】
【０００２】
無線通信規格は、例えば、標準化団体である３ＧＰＰＰによって仕様を策定される。そして、次世代（例えば、５Ｇ（第５世代移動体通信））の通信規格の無線リソースの信号フォーマットと、４Ｇ（第４世代移動体通信）の通信規格の無線リソースの信号フォーマットが異なる場合がある。【０００３】
基地局装置は、通信規格の仕様書に規定に従い、信号フォーマットを決定する。例えば、基地局装置は、端末装置がチャネル品質を測定するためのリファレンス信号を、仕様書に規定された無線リソースの信号フォーマットで送信する。規定された信号フォーマットは、仕様書のリリースバージョンによって異なる場合がある。そのため、基地局装置は、旧リリースバージョンにしか対応していない端末装置（以降、旧端末装置）にも対応するため、最新リリースバージョンに規定された信号フォーマット以外にも、例えば、所定数前のバージョンまで遡ったリリースバージョンに規定された信号フォーマットを用いてリファレンス信号を送信する。【０００４】
基地局装置に関する技術については、以下の特許文献１，２に記載されている。
【先行技術文献】
【特許文献】
【０００５】
【特許文献１】特開２０１０−１３６３０９号公報
【特許文献２】特表２０１６−５１３９４０号公報
【発明の概要】
【発明が解決しようとする課題】
【０００６】
しかし、旧端末装置は、最新リリースバージョンでリファレンス信号を送信すると規定された信号フォーマットを認識できない。そのため、旧端末装置は、最新リリースバージョンでリファレンス信号を送信する信号フォーマットを、リファレンス信号以外の情報が含まれる信号であると認識する場合がある。例えば、旧端末装置は、最新バージョンにおけるリファレンス信号を、音声などのユーザデータと誤って認識し、雑音が混同した音声として取得してしまい、通信性能が劣化する場合がある。【０００７】
また、上述したような誤認識が発生しないよう最新リリースバージョンの信号フォーマットの仕様を決定すると、例えば、旧リリースバージョンでは使用していない信号（無線リソース）しか最新リリースバージョンで使用することができないなど、最新仕様を決定するための制限事項となってしまう。【０００８】
そこで、一開示は、端末装置の通信品質を劣化させず、無線リソースの仕様を変更することができる基地局装置、端末装置、無線通信システム、及び無線リソース情報通知方法を提供する。
【課題を解決するための手段】
【０００９】
１つの側面では、端末装置と、前記端末装置と無線接続し、前記端末装置に信号を送信する基地局装置とを有する無線通信システムにおける基地局装置であって、
前記端末装置が対応する信号フォーマットの第１バージョンを取得する取得部と、
前記第１バージョンと、前記基地局装置が対応する第２バージョンが異なる場合、前記第２バージョンと用途が異なる信号に関する差異情報を前記端末装置に送信する送信部とを有する基地局装置。
【発明の効果】
【００１０】
一開示は、端末装置の通信品質を劣化させず、無線リソースの仕様を変更することができる。
【図面の簡単な説明】
【００１１】
【図１】図１は、無線通信システム１０の構成例を示す図である。
【図２】図２は、基地局装置２００の構成例を示す図である。
【図３】図３は、端末装置１００の構成例を示す図である。
【図４】図４は、無線通信システム１０における信号送受信処理のシーケンスの例を示す図である。
【図５】図５は、端末バージョン判定処理Ｓ１０２の処理フローチャートの例を示す図である。
【図６】図６は、差異情報通知処理Ｓ１０３の処理フローチャートの例を示す図である。
【図７】図７は、差異情報取得処理Ｓ１０５の処理フローチャートの例を示す図である。
【図８】図８は、無線リソース受信判定処理Ｓ１０７の処理フローチャートの例を示す図である。
【図９】図９は、端末装置１００におけるサブフレームを受信したときの処理の例を示す図である。
【図１０】図１０は、基地局装置２００の構成例を示す図である。
【図１１】図１１は、無線通信システム１０における信号送受信処理のシーケンスの例を示す図である。
【図１２】図１２は、端末バージョン判定処理Ｓ３０２の処理フローチャートの例を示す図である。
【図１３】図１３は、サブフレーム破棄設定処理Ｓ３０３の処理フローチャートの例を示す図である。
【図１４】図１４は、無線リソース受信判定処理Ｓ３０５の処理フローチャートの例を示す図である。
【発明を実施するための形態】
【００１２】
以下、本実施の形態について図面を参照して詳細に説明する。本明細書における課題及び実施例は一例であり、本願の権利範囲を限定するものではない。特に、記載の表現が異なっていたとしても技術的に同等であれば、異なる表現であっても本願の技術を適用可能であり、権利範囲を限定するものではない。
【００１３】
[第１の実施の形態]
第１の実施の形態について説明する。
【００１４】
＜無線通信システムの構成例＞
図１は、無線通信システム１０の構成例を示す図である。無線通信システム１０は、端末装置１００−１，２、基地局装置２００、ＭＭＥ（Mobility Management Entity）３００、ＧＷ（gateway）４００、及び外部ネットワーク５００を有する。無線通信システム１０は、例えば、４Ｇや５Ｇなどの通信規格に準拠した無線通信システムである。
【００１５】
端末装置１００−１，２（以降、端末装置１００と呼ぶ場合がある）は、例えば、スマートフォンやタブレット端末などの移動体通信装置である。端末装置１００は、例えば、基地局装置２００と無線接続し、基地局装置２００を介して外部ネットワークや他の通信装置と通信を行う。また、端末装置１００は、無線通信を実行するアプリケーションやソフトウェア（以降、端末基本ソフトウェアと呼ぶ場合がある）を有する。端末基本ソフトウェアは、例えば、ＬＴＥに準拠した無線通信システムにおいては、ＬＴＥの仕様書のリリースバージョン（以降、単にバージョンと呼ぶ場合がある）に対応する。端末基本ソフトウェアは、例えば、バージョンｘｘ（ｘｘはバージョンの番号）対応端末基本ソフトウェアなど、対応するバージョンごとに存在する。また、端末装置１００は、自装置が有する端末基本ソフトウェアの対応バージョンに応じて、バージョンｘｘ対応端末と呼ぶ場合がある。以降、端末装置１００が有する端末基本ソフトウェアの対応バージョンを、端末装置１００の対応バージョンと呼ぶ場合がある。
【００１６】
また、信号フォーマットは、端末装置１００の対応バージョンによって異なる。信号フォーマットは、例えば、ある対応バージョンではユーザデータを掲載する領域に、別の対応バージョンでは制御用情報が掲載される場合がある。
【００１７】
基地局装置２００は、端末装置１００と無線接続し、端末装置１００の行う通信を中継する。基地局装置２００は、通信エリアＡ２００を有する。通信エリアは、基地局装置２００が、端末装置１００と無線接続することができる範囲である。基地局装置２００は、例えば、ＬＴＥに準拠した通信システムにおけるｅＮｏｄｅＢである。また、図１の無線通信システム１０においては、基地局装置２００は１台であるが、基地局装置２００は複数台であってもよい。また、基地局装置２００は、端末装置１００の通信の中継を実行するアプリケーションやソフトウェア（以降、基地局基本ソフトウェアと呼ぶ場合がある）を有する。基地局基本ソフトウェアは、端末基本ソフトウェアと同様に、対応するバージョンごとに存在する。無線通信システム１０に複数の基地局装置２００が含まれる場合、それぞれの基地局装置２００は、同じ対応バージョンの基地局基本ソフトウェアを有することが好ましい。また、基地局装置２００は、自装置が有する基地局基本ソフトウェアの対応バージョンに応じて、バージョンｘｘ対応基地局と呼ぶ場合がある。以降、基地局装置２００が有する基地局基本ソフトウェアの対応バージョンを、基地局装置２００の対応バージョンと呼ぶ場合がある。
【００１８】
ＭＭＥ３００は、基地局装置２００を管理する装置であり、例えば、コンピュータやサーバマシンである。ＭＭＥ３００は、基地局装置２００の通信エリア内の端末装置１００の移動管理や、認証などのセキュリティ制御をおこなう。また、ＭＭＥ３００は、ＧＷ４００と基地局装置２００間における、データの転送経路の制御を行う。ＭＭＥ３００は、ＧＷ４００や基地局装置２００と、例えば、光回線などの有線で接続する。
【００１９】
ＧＷ４００は、ＭＭＥ３００及び基地局装置２００と、外部ネットワーク５００との通信において、プロトコルを変換するゲートウェイ装置である。ＧＷ４００は、例えば、外部ネットワーク５００と通信を行うためのＰ−ＧＷ（packet data network−gateway）である。また、ＧＷ４００は、例えば、ユーザデータの転送を行うＳ−ＧＷ（serving-gateway）である。もしくは、ＧＷ４００は、Ｐ−ＧＷおよびＳ−ＧＷの両方のゲートウェイ機能を有するゲートウェイ装置であってもよい。また、Ｓ−ＧＷの機能は、例えば、ＭＭＥ３００が有してもよい。
【００２０】
外部ネットワーク５００は、端末装置１００、基地局装置２００、ＭＭＥ３００、及びＧＷ４００を含むコアネットワーク以外のネットワークであり、例えば、インターネットである。外部ネットワーク５００は、移動体通信端末やデータサーバなど、端末装置１００と通信を行う通信装置を有する。
【００２１】
第１の実施の形態では、基地局装置２００は、端末装置１００の対応バージョンが基地局装置２００の対応バージョンと異なる場合、基地局装置２００の対応バージョンでは、端末装置１００の対応バージョンと、異なる用途で使用する信号（無線リソース）に関する差異情報を
端末装置１００に送信する。
【００２２】
差異情報は、例えば、端末装置１００の対応バージョンではユーザデータに使用されるが、より新しいバージョンでは制御用のデータに使用される無線リソースに関する情報である。すなわち、端末装置１００は、差異情報に基づき、破棄する（あるいは受信しない）無線リソースを決定することができる。
【００２３】
＜基地局装置の構成例＞
図２は、基地局装置２００の構成例を示す図である。基地局装置２００は、ＣＰＵ（Central Processing Unit）２１０、ストレージ２２０、ＤＲＡＭ（Dynamic Random Access Memory）などのメモリ２３０、ＮＩＣ（Network Interface Card）２４０、及びＲＦ（Radio Frequency）回路２５０を有する。
【００２４】
ストレージ２２０は、プログラムやデータを記憶する、フラッシュメモリ、ＨＤＤ（Hard Disk Drive）、又はＳＳＤ（Solid State Drive）などの補助記憶装置である。ストレージ２２０は、通信制御プログラム２２１、無線リソース管理プログラム２２２、及び端末バージョン毎無線リソース情報テーブル２２３を記憶する。
【００２５】
端末バージョン毎無線リソース情報テーブル２２３は、端末装置の対応バージョンごとの無線リソースに関する情報を記憶するテーブルである。端末バージョン毎無線リソース情報テーブル２２３は、例えば、特定のバージョン以降、ユーザデータを掲載していたサブフレームが、制御用情報を掲載するサブフレームに変更された場合、特定のバージョンと、制御用情報を掲載するようになったサブフレームの番号を記憶する。基地局装置２００は、端末バージョン毎無線リソース情報テーブル２２３を参照し、差異情報を生成する。また、端末バージョン毎無線リソース情報テーブル２２３は、例えば、基地局装置２００の対応バージョン（対応可能な最新バージョン）の無線リソースの用途と異なるサブフレームの番号を記憶してもよい。さらに、端末バージョン毎無線リソース情報テーブル２２３は、例えば、端末装置１００の対応バージョンに対応する差異情報を記憶してもよい。
【００２６】
メモリ２３０は、ストレージ２２０に記憶されているプログラムをロードする領域である。また、メモリ２３０は、プログラムがデータを記憶する領域としても使用される。
【００２７】
ＮＩＣ２４０は、他の基地局装置２００や、ＭＭＥ３００、ＧＷ４００を介して、外部ネットワーク５００と接続するネットワークインターフェースである。基地局装置２００は、ＮＩＣ２４０介して、他の通信装置や外部ネットワーク５００とパケットの送受信を行うことで、端末装置１００の通信を中継する。
【００２８】
ＲＦ回路２５０は、端末装置１００と無線接続する装置である。ＲＦ回路２５０は、例えば、アンテナを有し、無線接続する端末装置１００と信号（電波）を送受信することで、端末装置１００とデータを含むパケットの送受信を実現する。
【００２９】
ＣＰＵ２１０は、通信制御プログラム２２１を実行することで、通信制御処理を行う。通信制御処理は、端末装置１００が行う通信を中継する処理である。基地局装置２００は、通信制御処理において、例えば、端末装置１００から受信したパケットをパケットの送信先に送信する。また、基地局装置２００は、通信制御処理において、例えば、端末装置１００宛てのパケットを受信すると、端末装置１００に受信したパケットを送信する。なお、通信制御プログラム２２１は、例えば、基地局基本ソフトウェアの一つであり、通信制御プログラムのバージョンが基地局装置２００の対応バージョンであってもよい。
【００３０】
ＣＰＵ２１０は、無線リソース管理プログラム２２２を実行することで、取得部及び送信部を構築し、無線リソース管理処理を行う。無線リソース管理処理は、端末装置１００との無線通信に使用する無線リソースを監視する処理である。無線リソース管理処理は、サブルーチンである端末バージョン判定処理及び差異情報通知処理を有する。
【００３１】
また、ＣＰＵ２１０は、無線リソース管理プログラム２２２が有する端末バージョン判定モジュール２２２１を実行することで、取得部を構築し、端末バージョン判定処理を行う。端末バージョン判定処理は、無線通信する端末装置１００の対応バージョンと、基地局装置２００の対応バージョンを比較し、端末装置１００に差異情報の通知が必要か否かを判定する処理である。
【００３２】
また、ＣＰＵ２１０は、無線リソース管理プログラム２２２が有する差異情報通知モジュール２２２２を実行することで、送信部を構築し、差異情報通知処理を行う。差異情報通知処理は、無線通信する端末装置１００に、差異情報を通知する処理である。基地局装置２００は、例えば、無線リソースの割当を行うＲＲＣ（Radio Resource Control）メッセージに、差異情報を含め、端末装置１００に送信する。ＲＲＣは、無線通信におけるレイヤ(層)である。レイヤは、例えば、無線通信の機能に応じて分類された階層であり、プロトコルスタックとして、仕様が規定される。ＲＲＣレイヤは、無線リソースの制御を行うレイヤである。ＲＲＣメッセージは、例えば、ＲＲＣレイヤにおけるコネクションを確立するためのリクエストや応答、また、無線リソースの割当メッセージである。なお、基地局装置２００は、差異情報通知処理において、ＲＲＣメッセージに差異情報を含めているが、例えば、他のレイヤにおけるメッセージであってもよいし、差異情報を通知する専用のメッセージを使用してもよい。
【００３３】
＜端末装置の構成例＞
図３は、端末装置１００の構成例を示す図である。端末装置１００は、ＣＰＵ１１０、ストレージ１２０、ＤＲＡＭなどのメモリ１３０、及びＲＦ回路１５０を有する。
【００３４】
ストレージ１２０は、プログラムやデータを記憶する、フラッシュメモリ、ＨＤＤ、又はＳＳＤなどの補助記憶装置である。ストレージ１２０は、通信プログラム１２１、無線リソース制御プログラム１２２、及び無線リソース情報１２３を記憶する。
【００３５】
無線リソース情報１２３は、端末装置１００の対応バージョンに対応する無線リソースの情報（差異情報）を記憶する領域である。端末装置１００は、基地局装置２００から差異情報を受信すると、無線リソース情報１２３を更新する。
【００３６】
ＣＰＵ１１０は、通信プログラム１２１を実行することで、通信処理を行う。通信処理は、基地局装置２００を介して、外部ネットワーク５００や他の通信装置と通信を行う処理である。端末装置１００は、通信処理において、例えば、基地局装置２００を介して、通信相手の通信装置にパケットを送信する。また、端末装置１００は、通信処理において、例えば、基地局装置２００を介して、通信相手の通信装置からパケットを受信する。なお、通信プログラム１２１は、例えば、基地局基本ソフトウェアの一つであり、通信プログラムのバージョンが端末装置１００の対応バージョンである。
【００３７】
ＣＰＵ１１０は、無線リソース制御プログラム１２２を実行することで、受信部及び差異対応部を構築し、無線リソース制御処理を行う。無線リソース制御処理は、基地局装置２００から差異情報を受信し、受信した差異情報に基づき、受信した信号（又は信号の一部）を破棄する処理である。無線リソース制御処理は、サブルーチンとして、差異情報取得処理及び無線リソース受信判定処理を有する。
【００３８】
また、ＣＰＵ１１０は、無線リソース制御プログラム１２２が有する差異情報取得モジュール１２２１を実行することで、受信部を構築し、差異情報取得処理を行う。差異情報取得処理は、基地局装置２００から受信したメッセージに含まれる差異情報を抽出し、記憶する処理である。
【００３９】
また、ＣＰＵ１１０は、無線リソース制御プログラム１２２が有する無線リソース受信判定モジュール１２２２を実行することで、差異対応部を構築し、無線リソース受信判定処理を行う。無線リソース受信判定処理は、基地局装置２００から受信した信号（又は信号の一部）を破棄するか否かを判定する処理である。なお、端末装置１００は、無線リソース受信判定処理において、信号又は信号の一部を破棄するが、例えば、破棄以外の処理であって、受信した信号に応じた処理を行ってもよい。
【００４０】
＜信号送受信処理＞
図４は、無線通信システム１０における信号送受信処理のシーケンスの例を示す図である。なお、図４において、基地局装置２００と端末装置１００間で送受信される信号は、ＲＲＣメッセージ及びサブフレーム（例えば、ＰＤＣＣＨ：Physical Downlink Control Channel）である。
【００４１】
端末装置１００と基地局装置２００は、無線接続中である（Ｓ１０１）。基地局装置２００は、端末装置１００の対応バージョン（第１バージョン）を取得すると、端末バージョン判定処理を行う（Ｓ１０２）。
【００４２】
図５は、端末バージョン判定処理Ｓ１０２の処理フローチャートの例を示す図である。基地局装置２００は、端末装置１００の対応バージョンを取得するのを待ち受ける（Ｓ１０２−１のＮｏ）。
【００４３】
基地局装置２００は、端末装置１００の対応バージョンを取得すると（Ｓ１０２−１のＹｅｓ）、端末装置１００に差異情報の通知を行うか否かを判定する（Ｓ１０２−２）。基地局装置２００は、例えば、基地局装置２００の対応バージョン（第２バージョン）と端末装置１００の対応バージョンが異なる場合、端末装置１００に差異情報を通知すると判定する。また、基地局装置２００は、例えば、基地局装置２００の対応バージョンと端末装置１００の対応バージョンが異なる場合であっても、信号フォーマット（無線リソース）に差異がない場合、端末装置１００に差異情報を通知しないと判定する。
【００４４】
基地局装置２００は、端末装置１００に差異情報を通知すると判定すると（Ｓ１０２−２のＹｅｓ）、差異情報通知処理を行う（Ｓ１０３）。一方、基地局装置２００は、端末装置１００に差異情報を通知しないと判定すると（Ｓ１０２−２のＮｏ）、差異情報通を端末装置１００に通知せずに、処理を終了する。
【００４５】
なお、基地局装置２００は、端末バージョン判定処理Ｓ１０２を、複数の端末装置１００それぞれの対応バージョンを取得するごとに実施する。これにより、基地局装置２００は、例えば、サブフレームを破棄しなくてよい端末装置１００(例えば、最新バージョンに対応する端末装置)が、他の対応バージョンで破棄対象となるサブフレームを破棄しないようにする。
【００４６】
図４のシーケンスに戻り、基地局装置２００は、端末バージョン判定処理Ｓ１０２において、端末装置１００に差異情報の通知を行うと判定し（図５のＳ１０２−２のＹｅｓ）、差異情報通知処理を行う（Ｓ１０３）。
【００４７】
図６は、差異情報通知処理Ｓ１０３の処理フローチャートの例を示す図である。基地局装置２００は、端末バージョン毎無線リソース情報テーブル２２３から、端末装置１００の対応バージョンに応じた差異情報を取得する（Ｓ１０３−１）。例えば、端末装置１００の対応バージョンではユーザデータの送受信に使用しているサブフレームを、基地局装置２００の対応バージョンでは制御用情報の送受信に使用する場合、差異情報は、当該サブフレームの番号である。そして、基地局装置２００は、差異情報を含めたＲＲＣメッセージを、端末装置１００に送信する（Ｓ１０３−２）。すなわち、当該サブフレームの番号を差異情報として端末装置１００に送信することで、端末装置１００は、当該サブフレームをユーザ情報として取得せず、当該サブフレームの用途に応じた処理（例えば破棄）を行うことができる。
【００４８】
図４のシーケンスに戻り、基地局装置２００は、差異情報通知処理Ｓ１０３において、差異情報を含むＲＲＣメッセージを端末装置１００に送信する（Ｓ１０４、図６のＳ１０３−２）。例えば、差異情報として、サブフレームの番号０２を送信する。以降、サブフレーム番号ｘ（ｘは整数）のサブフレームを、サブフレーム＃ｘと表す場合がある。
【００４９】
端末装置１００は、ＲＲＣメッセージを受信すると、差異情報取得処理を行う（Ｓ１０５）。
【００５０】
図７は、差異情報取得処理Ｓ１０５の処理フローチャートの例を示す図である。端末装置１００は、ＲＲＣメッセージを受信するのを待ち受ける（Ｓ１０５−１のＮｏ）。端末装置１００は、ＲＲＣメッセージを受信すると（Ｓ１０５−１のＹｅｓ）、ＲＲＣメッセージに差異情報が含まれているか否かを確認する（Ｓ１０５−２）。端末装置１００は、例えば、ＲＲＣメッセージのヘッダやデータ部における、特定の位置に差異情報が含まれることを、事前に基地局装置２００と共有しておく。これにより、端末装置１００は、差異情報を取得することができる。
【００５１】
端末装置１００は、差異情報が含まれている場合（Ｓ１０５−２のＹｅｓ）、差異情報を内部メモリに記憶する（Ｓ１０５−３）。一方、端末装置１００は、差異情報が含まれていない場合（Ｓ１０５−２のＮｏ）、処理を終了する。
【００５２】
図４のシーケンスに戻り、端末装置１００は、差異情報取得処理Ｓ１０５において、差異情報を取得する。端末装置１００は、サブフレーム＃０２（サブフレーム番号０２）を差異情報として記憶する（図７のＳ１０５−３）。  ここで、端末装置１００は、サブフレーム＃０２を、破棄する（又は信号に応じた処理を行う）サブフレームとして記憶する。
【００５３】
そして、端末装置１００は、サブフレーム＃０１を受信する（Ｓ１０６）。端末装置１００は、サブフレームを受信すると、無線リソース受信判定処理を行う（Ｓ１０７）。
【００５４】
図８は、無線リソース受信判定処理Ｓ１０７の処理フローチャートの例を示す図である。端末装置１００は、サブフレームを受信するのを待ち受ける（Ｓ１０７−１のＮｏ）。端末装置１００は、サブフレームを受信すると（Ｓ１０７−１のＹｅｓ）、記憶した差異情報のサブフレーム番号と、受信したサブフレームの番号が同一か否かを判定する（Ｓ１０７−２）。
【００５５】
端末装置１００は、差異情報のサブフレームと同一番号のサブフレームを受信すると（Ｓ１０７−２のＹｅｓ）、受信したサブフレームを破棄する（Ｓ１０７−３）。なお、端末装置１００は、破棄処理Ｓ１０７−３に代替し、受信したサブフレームの内容に応じた、又は、所定の処理を行ってもよい。
【００５６】
一方、  端末装置１００は、差異情報のサブフレームと同一番号ではないサブフレームを受信すると（Ｓ１０７−２のＮｏ）、処理を終了し、受信したサブフレームに応じた処理を行う。
【００５７】
図４のシーケンスに戻り、端末装置１００は、サブフレーム＃０１を受信すると、無線リソース受信判定処理Ｓ１０７において、記憶している差異情報（サブフレーム＃０２）と同一番号のサブフレームではないと判定し（図８のＳ１０７−２のＮｏ）、サブフレーム＃０１を受信する（Ｓ１０８）。
【００５８】
そして、端末装置１００は、サブフレーム＃０２を受信すると（Ｓ１０９）、無線リソース受信判定処理Ｓ１０７において、記憶している差異情報（サブフレーム＃０２）と同一番号のサブフレームであると判定し（図８のＳ１０７−２のＹｅｓ）、サブフレーム＃０２を破棄する（Ｓ１１０、図８のＳ１０７−３）。
【００５９】
図９は、端末装置１００におけるサブフレームを受信したときの処理の例を示す図である。端末装置１００は、差異情報としてサブフレーム番号０２を受信する（Ｓ２０１）。すると、端末装置１００は、差異情報を受信して以降、サブフレーム＃０２を破棄する（Ｓ２０２、Ｓ２０３）。端末装置１００が破棄するサブフレーム＃０２は、差異情報受信後の初回のみ（Ｓ２０２）に限られず、２回目以降の受信（Ｓ２０３）についても破棄対象となる。
【００６０】
第１の実施の形態では、基地局装置２００は、対応バージョンの異なる端末装置１００に差異情報を送信する。そして、端末装置１００は、差異情報で示されたサブフレーム番号を記憶し、当該サブフレーム番号のサブフレームを破棄する。これにより、例えば、端末装置１００の対応バージョンではユーザデータの送信に使用されていたサブフレームが、最新バージョンでは制御用信号の送信に使用されるように変更されていても、端末装置１００が当該サブフレームに含まれる制御用信号をユーザデータとして誤認識し、受信品質が劣化することを防止できる。
【００６１】
また、対応バージョンが基地局装置２００と同等のバージョンである端末装置１００は、差異情報を受信しないため、他バージョンで破棄対象となるサブフレームを破棄してしまうことはない。このように、例えば、最新のバージョンの端末装置１００は、最新バージョンに応じたサブフレームを受信し、旧バージョンの端末装置１００は、最新バージョンで用途が変更されたサブフレームを破棄することができ、新旧両バージョンの端末装置１００が通信システム内に混在しても、旧バージョンの端末装置１００の品質が劣化しない。
【００６２】
さらに、第１の実施の形態では、サブフレームには新たな情報を付加しないため、サブフレーム送信における処理負荷は増加しない。
【００６３】
[第２の実施の形態]
次に、第２の実施の形態について説明する。第２の実施の形態では、差異情報をＲＲＣメッセージでは送信せず、サブフレーム（例えばヘッダ部）に、当該サブフレームが破棄対象であることを示す情報を付加する。端末装置１００は、サブフレーム受信ごとに、破棄対象か否かを判定する。
【００６４】
＜基地局装置の構成例＞
図１０は、基地局装置２００の構成例を示す図である。基地局装置２００は、ストレージ２２０の無線リソース管理プログラム２２２に、サブフレーム破棄設定モジュール２２２３を記憶する。
【００６５】
ＣＰＵ２１０は、無線リソース管理プログラム２２２が有するサブフレーム破棄設定モジュール２２２３を実行することで、送信部を構築し、サブフレーム破棄設定処理を行う。サブフレーム破棄設定処理は、端末装置１００に破棄を指示する（破棄させる）サブフレームに、破棄対象サブフレームであることを示す情報を付加する処理である。
【００６６】
＜信号送受信処理＞
図１１は、無線通信システム１０における信号送受信処理のシーケンスの例を示す図である。端末装置１００と基地局装置２００は、無線接続中である（Ｓ３０１）。基地局装置２００は、端末装置１００の対応バージョンを取得すると、端末バージョン判定処理を行う（Ｓ３０２）。
【００６７】
図１２は、端末バージョン判定処理Ｓ３０２の処理フローチャートの例を示す図である。基地局装置２００は、端末装置１００の対応バージョンを取得するのを待ち受ける（Ｓ３０２−１のＮｏ）。
【００６８】
基地局装置２００は、端末装置１００の対応バージョンを取得すると（Ｓ３０２−１のＹｅｓ）、端末装置１００に破棄対象のサブフレームが存在するか否かを判定する（Ｓ３０２−２）。基地局装置２００は、例えば、基地局装置２００の対応バージョンと端末装置１００の対応バージョンが異なる場合、端末装置１００に破棄対象のサブフレームが存在すると判定する。また、基地局装置２００は、例えば、基地局装置２００の対応バージョンと端末装置１００の対応バージョンが異なる場合であっても、信号フォーマット（無線リソース）に差異がない場合、端末装置１００に破棄対象のサブフレームはないと判定する。
【００６９】
基地局装置２００は、端末装置１００に破棄対象のサブフレームが存在すると判定すると（Ｓ３０２−２のＹｅｓ）、当該端末装置１００の破棄対象サブフレームのサブフレーム番号を記憶する（Ｓ３０２−３）。一方、基地局装置２００は、端末装置１００に破棄対象のサブフレームがないと判定すると（Ｓ３０２−２のＮｏ）、処理を終了する。
【００７０】
図１１のシーケンスに戻り、基地局装置２００は、端末バージョン判定処理Ｓ１０２において、端末装置１００に破棄対象のサブフレームが存在すると判定し（図１２のＳ３０２−２のＹｅｓ）、破棄対象のサブフレーム番号（例えば、＃０２）を記憶する（図１２のＳ３０２−３）。
【００７１】
そして、基地局装置２００は、端末装置１００にサブフレームを送信するとき、サブフレーム破棄設定処理を行う（Ｓ３０３）。
【００７２】
図１３は、サブフレーム破棄設定処理Ｓ３０３の処理フローチャートの例を示す図である。基地局装置２００は、サブフレームを送信する契機を待ち受ける（Ｓ３０３−１のＮｏ）。基地局装置２００は、サブフレームの送信契機が発生すると（Ｓ３０３−１のＹｅｓ）、送信先の端末装置１００に破棄対象のサブフレームが存在するか否かを判定する（Ｓ３０３−２）。基地局装置２００は、例えば、図１２の処理Ｓ３０２−３で記憶したサブフレーム番号が存在するか否かを確認することで、破棄対象のサブフレームが存在するか否かを判定する。
【００７３】
基地局装置２００は、端末装置１００に破棄対象のサブフレームが存在する場合（Ｓ３０３−２のＹｅｓ）、送信するサブフレームが、端末装置１００の破棄対象のサブフレーム番号のサブフレームか否かを判定する（Ｓ３０３−３）。一方、基地局装置２００は、端末装置１００に破棄対象のサブフレームが存在しない場合（Ｓ３０３−２のＮｏ）、破棄ビットをＯＮにせず、サブフレームを送信する。破棄ビットは、例えば、端末装置１００の対応バージョン毎に存在するビットである。端末装置１００は、自装置の対応バージョンに応じた破棄ビットを確認し、当該破棄ビットがＯＮである場合、当該サブフレームが破棄対象であることを認識する。対応バージョン毎に破棄ビットを設けることで、端末装置１００は、対応バージョンに応じて、破棄又は受信を行うことができる。なお、破棄ビットがＯＮであることは、基地局装置２００の対応バージョンと、端末装置１００の対応バージョンが異なることを示しており、すなわち、破棄ビットは差異情報の一態様である。また、破棄ビットは、ＯＮである場合、端末装置１００に当該フレームを破棄することを指示する破棄情報である。
【００７４】
基地局装置２００は、端末装置１００に破棄対象のサブフレームが存在する場合（Ｓ３０３−２のＹｅｓ）であって、端末装置１００の破棄対象のサブフレーム番号と、送信するサブフレームの番号が同じである場合（Ｓ３０３−３のＹｅｓ）、送信するサブフレームの端末装置１００の対応バージョンに応じた破棄ビットをＯＮにする（Ｓ３０３−４）。
【００７５】
一方、基地局装置２００は、端末装置１００の破棄対象のサブフレーム番号と、送信するサブフレームの番号が同じでない場合（Ｓ３０３−３のＮｏ）、破棄ビットをＯＮにせず、サブフレームを送信する。また、基地局装置２００は、端末装置１００の破棄対象のサブフレーム番号と、送信するサブフレームの番号が同じでない場合（Ｓ３０３−３のＮｏ）、破棄ビットをＯＮにせず、サブフレームを送信する。
【００７６】
なお、基地局装置２００は、自基地局装置２００の配下に複数の端末装置１００が存在（在圏）する場合、配下の端末装置１００全てに対してサブフレーム破棄設定処理Ｓ３０３を行う。基地局装置２００は、例えば、複数の対応バージョンの複数の端末装置に対して、それぞれ破棄ビットをＯＮするか否かの判定を行い、破棄対象のバージョンに対応する破棄ビットのみをＯＮにすることで、サブフレームを破棄しなくてよい端末装置１００(例えば、最新バージョンに対応する端末装置)が当該サブフレームを破棄しないようにする。
【００７７】
図１１のシーケンスに戻り、基地局装置２００は、端末装置１００の対応バージョンに応じた破棄ビットをＯＮにせず、サブフレーム＃０１を送信する（Ｓ３０４）。サブフレーム＃０１を受信した端末装置１００は、無線リソース受信判定処理を行う（Ｓ３０５）。
【００７８】
図１４は、無線リソース受信判定処理Ｓ３０５の処理フローチャートの例を示す図である。端末装置１００は、サブフレームを受信するのを待ち受ける（Ｓ３０５−１のＮｏ）。端末装置１００は、サブフレームを受信すると（Ｓ３０５−１のＹｅｓ）、自装置の対応バージョンに応じた、サブフレームに含まれる破棄ビットを確認する（Ｓ３０５−２）。
【００７９】
端末装置１００は、破棄ビットがＯＮである場合（Ｓ３０５−２のＹｅｓ）、当該サブフレームを破棄する（Ｓ３０５−３）。一方、端末装置１００は、破棄ビットがＯＮでない場合（Ｓ３０５−２のＮｏ）、当該サブフレームを受信し、サブフレーム受信に応じた処理を行う。
【００８０】
図１１のシーケンスに戻り、端末装置１００は、無線リソース受信判定処理Ｓ３０５において、サブフレーム＃０１を受信する（図１４のＳ３０５−３）。
【００８１】
そして、基地局装置２００は、サブフレーム＃０２を送信する（Ｓ３０８）。基地局装置２００は、サブフレーム＃０２を送信するとき、サブフレーム破棄設定処理Ｓ３０３を行う。基地局装置２００は、サブフレーム破棄設定処理において、端末装置１００の破棄対象のサブフレームが＃０２であり、送信するサブフレームも＃０２であるため（図１３のＳ３０３−３のＹｅｓ）、端末装置１００の対応バージョンに応じた破棄ビットをＯＮにし(図１３のＳ３０３−４)、サブフレーム＃０２を送信する（Ｓ３０８）。
【００８２】
端末装置１００は、サブフレーム＃０２を受信すると、無線リソース受信判定処理Ｓ３０５を行う。端末装置１００は、自装置の対応バージョンに応じた破棄ビットを確認し、当該破棄ビットがＯＮであるため（図１４のＳ３０５−２のＹｅｓ）、当該サブフレーム＃０２を破棄する（図１４のＳ３０５−３）。
【００８３】
第２の実施の形態では、基地局装置２００は、端末装置１００の対応バージョンとは異なる用途のサブフレームを、対応バージョン毎に設けられた破棄ビットをＯＮにすることで、端末装置１００に破棄させることができる。これにより、例えば、端末装置１００の対応バージョンではユーザデータの送信に使用されていたサブフレームが、最新バージョンでは制御用信号の送信に使用されるように変更されていても、端末装置１００が当該サブフレームに含まれる制御用信号をユーザデータとして誤認識し、受信品質が劣化することを防止できる。
【００８４】
一方、対応バージョンが基地局装置２００と同等のバージョンである端末装置１００は、自装置の対応バージョンに応じた破棄ビットはＯＮとならないため、当該サブフレームを破棄してしまうことはない。このように、例えば、最新のバージョンの端末装置１００は、最新バージョンに応じたサブフレームを受信し、旧バージョンの端末装置１００は、最新バージョンで用途が変更されたサブフレームを破棄することができ、新旧両バージョンの端末装置１００が通信システム内に混在しても、旧バージョンの端末装置１００の品質が劣化しない。
【００８５】
さらに、第２の実施の形態では、第１の実施の形態で実施するＲＲＣメッセージ送受信における処理を行わないため、ＲＲＣコネクションなどのＲＲＣ関連処理において、処理負荷が増加しない。
【００８６】
[その他の実施の形態]
第１及び第２の実施の形態は、組み合わせて実施してもよい。例えば、第１の実施の形態における、ＲＲＣメッセージに差異情報を含め、さらに、サブフレームにも破棄ビットを設けてもよい。
【００８７】
また、第１及び第２の実施の形態では、基地局装置２００は、差異情報又は破棄対象を、サブフレーム単位で端末装置１００に通知する。しかし、基地局装置２００は、サブフレーム単位に代替し、例えば、サブフレーム内のシンボル位置、サブフレーム内のスロット番号、又はサブフレームの前半部又は後半部のどちらか一方を示す情報を通知してもよい。また、基地局装置２００は、例えば、サブフレームの周期に応じた時間など、破棄するサブフレームを端末装置１００が受信するタイミングを通知してもよい。さらに、基地局装置２００は、例えば、端末装置が破棄する周波数や、リソースエレメントの位置を通知してもよい。
【００８８】
さらに、端末装置１００は、破棄に代替し、所定の処理を行ってもよい。端末装置１００は、例えば、破棄対象のサブフレームを受信したとき、破棄に代替し、内部に有する特定のプログラムを実行してもよい。
【符号の説明】
【００８９】
１０…無線通信システム
１００…基地局装置
１００…端末装置
１１０…ＣＰＵ
１２０…ストレージ
１２１…通信プログラム
１２２…無線リソース制御プログラム
１２２１…差異情報取得モジュール
１２２２…無線リソース受信判定モジュール
１２３…無線リソース情報
１３０…メモリ
１５０…ＲＦ回路
２００…基地局装置
２１０…ＣＰＵ
２２０…ストレージ
２２１…通信制御プログラム
２２２…無線リソース管理プログラム
２２２１…端末バージョン判定モジュール
２２２２…差異情報通知モジュール
２２２３…サブフレーム破棄設定モジュール
２２３…端末バージョン毎無線リソース情報テーブル
２３０…メモリ
２４０…ＮＩＣ
２５０…ＲＦ回路
３００…ＭＭＥ
４００…ＧＷ
５００…外部ネットワーク
【図１】
2018216163.tif 000003
【図２】
2018216163.tif 000004
【図３】
2018216163.tif 000005
【図４】
2018216163.tif 000006
【図５】
2018216163.tif 000007
【図６】
2018216163.tif 000008
【図７】
2018216163.tif 000009
【図８】
2018216163.tif 000010
【図９】
2018216163.tif 000011
【図１０】
2018216163.tif 000012
【図１１】
2018216163.tif 000013
【図１２】
2018216163.tif 000014
【図１３】
2018216163.tif 000015
【図１４】
2018216163.tif 000016
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
端末装置と、前記端末装置と無線接続し、前記端末装置に信号を送信する基地局装置とを有する無線通信システムにおける基地局装置であって、
前記端末装置が対応する信号フォーマットの第１バージョンを取得する取得部と、
前記第１バージョンと、前記基地局装置が対応する第２バージョンとが異なる場合、前記第２バージョンと用途が異なる信号に関する差異情報を前記端末装置に送信する送信部とを有する
基地局装置。
【請求項２】
前記差異情報は、前記用途が異なる信号の破棄を前記端末装置に指示することを含む情報である
請求項１記載の基地局装置。
【請求項３】
前記信号は、サブフレームを含み、
前記差異情報は、前記第２バージョンの信号と用途が異なるサブフレームの番号を含む
請求項１記載の基地局装置。
【請求項４】
前記送信部は、前記差異情報を含めたＲＲＣ（Radio Resource Control）メッセージを前記端末装置に送信する
請求項３記載の基地局装置。
【請求項５】
前記差異情報は、前記端末装置が受信したサブフレームを破棄することを指示する破棄情報を含み、
前記送信部は、前記破棄情報を含むサブフレームを前記端末装置に送信する
請求項１記載の基地局装置。
【請求項６】
前記送信部は、前記破棄情報を信号フォーマットのバージョン毎に設定する
請求項５記載の基地局装置。
【請求項７】
端末装置と、前記端末装置と無線接続し、前記端末装置に信号を送信する基地局装置とを有する無線通信システムにおける端末装置であって、
前記基地局装置から送信される情報であって、前記端末装置が対応する信号フォーマットの第１バージョンと前記基地局装置が対応する信号フォーマットの第２バージョンとが異なる場合に前記基地局装置が送信する、前記第２バージョンと用途が異なる信号に関する差異情報を、受信する受信部と、
前記差異情報に基づき、前記用途が異なる信号を破棄する差異対応部を有する
端末装置。
【請求項８】
端末装置と、前記端末装置と無線接続し、前記端末装置に信号を送信する基地局装置とを有する無線通信システムであって、
前記基地局装置は、前記端末装置が対応する信号フォーマットの第１バージョンを取得し、前記第１バージョンと、前記基地局装置が対応する第２バージョンとが異なる場合、前記第２バージョンと用途が異なる信号に関する差異情報を前記端末装置に送信し、
前記端末装置は、前記差異情報を受信し、前記受信した差異情報に基づき、前記用途が異なる信号を破棄する
無線通信システム。
【請求項９】
端末装置と、前記端末装置と無線接続し、前記端末装置に信号を送信する基地局装置とを有する無線通信システムの有する基地局装置における無線リソース情報通知方法であって、
前記端末装置が対応する信号フォーマットの第１バージョンを取得し、
前記第１バージョンと、前記基地局装置が対応する第２バージョンとが異なる場合、前記第２バージョンと用途が異なる信号に関する差異情報を前記端末装置に送信する
無線リソース情報通知方法。
【国際調査報告】
2018216163.tif 000017
2018216163.tif 000018
2018216163.tif 000019
2018216163.tif 000020